(57)【要約】【課題】始動入賞機能、大入賞機能等の異なる機能を単一の入賞装置に備えさせることにより、入賞装置の設置個数の減少や省スペース化を図り、遊技領域内の中央役物の設置スペースを大きく確保することができるパチンコ機を提供すること。【解決手段】遊技進行上における役割及び入賞に対して払い出される景品球数を異ならせた複数の入賞機能を有するパチンコ機において、入賞機能が現在進行中の遊技状態に基づいて決定され、その決定された状態に従い可動態様が適宜に切り替わるように設けられた特別入賞装置１０と、その内部又は近傍に入賞機能が可変される入賞球検出スイッチを備えた。【選択図】  図６
2004351055.tif 000002
【特許請求の範囲】
【請求項１】
遊技進行上における役割と入賞に対して払い出される景品球数とを異ならせた複数の入賞機能を有するパチンコ機において、
前記入賞機能が現在進行中の遊技状態に基づいて決定され、その決定された状態に従い可動態様が適宜に切り替わるように設けられた特別入賞装置と、その内部又は近傍に該入賞機能が可変される入賞球検出スイッチを備えたことを特徴とするパチンコ機。
【請求項２】
遊技領域に打ち込まれたパチンコ球が入賞することによって所定数の景品球を払い出すと共に始動遊技を実行させる始動入賞機能と、その始動遊技の結果が予め設定された条件を満たすことによる特別遊技状態が発生したときに、打球を受け入れ易くし、かつ、多量の景品球を払い出すべく入賞口を閉成状態から開成状態へと可変することができる大入賞機能とを有するパチンコ機において、
始動入賞機能を有し、かつ、始動入賞用に設定された景品球数を払い出す第１機能状態と、大入賞機能を有し、かつ、大入賞用に設定された景品球数を払い出す第２機能状態とを備えていて、可動態様が遊技状態の如何に応じてそれらの機能状態の何れかに適宜に切り替わるように設けられた特別入賞装置と、その内部又は近傍に入賞機能が可変される入賞球検出スイッチを備えたことを特徴とするパチンコ機。
【請求項３】
前記特別入賞装置には、遊技進行時点での入賞機能を報知する報知手段を設けていることを特徴とする請求項１又は２に記載のパチンコ機。
【発明の詳細な説明】
【０００１】
【発明の属する技術分野】
本発明は、遊技進行上における役割及び入賞に対して払い出される景品球数を異ならせた入賞機能部を設けたパチンコ機に関する。
【０００２】
【従来の技術】
一般的なパチンコ機は、例えば、特開２００１−３２１５０３号公報に開示されているように、遊技盤の遊技領域に通過ゲートと、普通図柄表示部及び特別図柄表示部を備えた図柄表示装置と、始動入賞装置及び大入賞装置等を設け、遊技領域に打ち込まれたパチンコ球が通過ゲートを通過することにより普通図柄表示部に所定図柄を表して停止させ、一定時間のみパチンコ球が入賞し易い開放状態とされた始動入賞装置にパチンコ球が入賞することにより図柄表示装置の特別図柄表示部を作動させ、その特別図柄表示部が所定の図柄を表して停止すると「大当たり」と言われる特定遊技状態が発生して大入賞装置の大入賞口をパチンコ球を受け入れる開放状態とし、所定の条件に基づいてその開放状態が所定回数（通常、最高１６回まで）だけ繰り返されて多量の景品球を放出することができるような構造とされている。しかして、特定遊技状態が発生したときには、遊技者にとっては多量の景品球を獲得する機会が得られることになる。
【０００３】
また、特定遊技状態における遊技意欲を高揚させるために導入された確率変動型のパチンコ機では、出球率が高くなるので遊技者にとっては有利となるところ、出球率が高くなりすぎることは、反対にパチンコホール側にとっては好ましいことではない。このことは、入賞に対して払い出される景品球（賞球）数について、入賞口毎に、例えば５個、７個、１５個というように一定に決められていて固定化されていることにも起因する。そこで、特開平１０−９９５０４号公報には、入賞口に設定されている賞球数が固定的であることによる不具合を解消するとして、指定入賞口と、賞球決定原因の変化に応じて該指定入賞口の賞球数の設定を変化させる賞球数変更手段を設けた弾球遊技機が開示されている。特開２００２−２７２９９７号公報には、入賞口への入賞を条件に払い出される賞球数が遊技の状態の変更に応じて適宜変更される遊技機が開示されている。その遊技の状態とは、通常確率で大当たりとなる通常確率大当たり遊技状態と、通常確率よりも高確率で大当たりとなる高確率大当たり遊技状態をいう。
【０００４】
【発明が解決しようとする課題】
近時のパチンコ機における図柄表示装置等の中央役物については、従来の液晶画面サイズより大きなサイズの液晶画面を用いた図柄表示部の大型化が進行している。このため、従来と同様の遊技機能を維持しつつ遊技領域内の中央役物の設置スペースをより広く確保する技術が求められている。
【０００５】
この発明の目的は、始動入賞機能、大入賞機能等の異なる機能を単一の入賞装置に備えさせることにより、入賞装置の設置個数の減少や省スペース化を図り、遊技領域内の中央役物の設置スペースを大きく確保することができるパチンコ機を提供することにある。
【０００６】
【課題を解決するための手段】
前記目的を達成するために請求項１に記載した発明は、遊技進行上における役割と入賞に対して払い出される景品球数とを異ならせた複数の入賞機能を有するパチンコ機において、
前記入賞機能が現在進行中の遊技状態に基づいて決定され、その決定された状態に従い可動態様が適宜に切り替わるように設けられた特別入賞装置と、その内部又は近傍に該入賞機能が可変される入賞球検出スイッチを備えたことを特徴とする。
なお、ここでいう「遊技進行上における役割」とは、パチンコ遊技を正常に進めるために入賞口に予め設定した機能を意味し、その機能としては、一般的に大入賞口機能、通常入賞口機能、特別図柄始動機能、普通図柄始動機能等がある。
【０００７】
同様の目的を達成するために請求項２に記載した発明は、遊技領域に打ち込まれたパチンコ球が入賞することによって所定数の景品球を払い出すと共に始動遊技を実行させる始動入賞機能と、その始動遊技の結果が予め設定された条件を満たすことによる特別遊技状態が発生したときに、打球を受け入れ易くし、かつ、多量の景品球を払い出すべく入賞口を閉成状態から開成状態へと可変することができる大入賞機能とを有するパチンコ機において、
始動入賞機能を有し、かつ、始動入賞用に設定された景品球数を払い出す第１機能状態と、大入賞機能を有し、かつ、大入賞用に設定された景品球数を払い出す第２機能状態とを備えていて、可動態様が遊技状態の如何に応じてそれらの機能状態の何れかに適宜に切り替わるように設けられた特別入賞装置と、その内部又は近傍に入賞機能が可変される入賞球検出スイッチを備えたことを特徴とする。
【０００８】
同様の目的を達成するために請求項３に記載した発明は、請求項１又は２に記載のパチンコ機において、前記特別入賞装置には、遊技進行時点での入賞機能を報知する報知手段を設けていることを特徴とするものである。
【０００９】
【発明の作用及び効果】
（請求項１の発明）
特別入賞装置の入賞機能は、遊技進行上における始動入賞装置や大入賞装置等の役割及び入賞に対して払い出される景品球数を切り替えるように設けられている。しかして、このパチンコ機では、現在進行中の遊技状態に基づいて特別入賞装置の入賞機能を決定し、その決定された状態に入賞機能が適宜に切り替えられることにより、従前のパチンコ機と同様の図柄表示遊技を実行することができる。
【００１０】
（請求項２及び請求項３の発明）
ここでは、特別入賞装置の第１機能状態を始動入賞装置、景品球数を５個に設定し、第２機能状態を大入賞装置、景品球数を１５個に設定して、パチンコ機の作用及び遊技の流れについて説明する。
（１）遊技領域に打ち込まれたパチンコ球が特別入賞口に入賞すると、所定数（例えば、５個）の景品球が払い出され、始動遊技が実行可能な状態となる。
（２）特別入賞装置では、始動入賞装置として機能する旨が報知手段、例えば、発光ダイオード（ＬＥＤ）の点灯や音声により報知される。
（３）特別入賞装置にパチンコ球が入賞すると、図柄表示装置が作動して図柄を変動表示させる。
（４）始動遊技の結果が予め設定された条件を満たすと、図柄表示装置に所定図柄が停止表示されて特別遊技状態（大当たり）が発生する。停止図柄が所定図柄でないときには、特別遊技状態にならずに再び特別入賞装置に入賞があるまで図柄の変動は開始されない。
（５）特別入賞装置では、大入賞装置として機能する旨が発光ダイオードの点灯や音声により報知される。そして、特別入賞装置は、打球を受け入れ易くし、かつ、多量の景品球を払い出すべく入賞口を閉成状態から開成状態とされる。これにより、最初の１ラウンド目の特定遊技を開始することができる状況となる。
（６）特別入賞装置の入賞口の開成状態が所定時間経過するか、遊技者により打ち込まれるパチンコ球の入賞が所定個数に達すると、１ラウンド目が終了する。１回の入賞に対して１５個の景品球が、公知の払い出し装置から遊技者側に払い出される。
（７）特別入賞装置の入賞口の開成動作は所定条件に基づいて所定回数（通常、最高１６回まで）だけ繰り返され、多量の景品球が放出される機会が付与される（大当たり処理）。
（８）特別遊技状態が終了すると、特別入賞装置は最初の始動入賞装置の機能に設定されて新たな遊技に備えられる。
【００１１】
このパチンコ機によれば、単一の特別入賞装置に始動入賞機能、大入賞機能等の異なる機能を備えることにより、入賞装置の設置個数の減少や省スペース化に寄与する。特に、遊技領域内の中央役物の設置スペースを大きく確保することができるので、近時の中央役物の大型化に対応可能である。
【００１２】
【発明の実施の形態】
以下に、本発明の実施の形態例を図面に基づいて説明する。図１はパチンコ機の遊技盤面の概要図、図２は特別入賞装置の正面図、図３は特別入賞装置の中央縦断面図、図４は特別入賞装置の斜視図、図５はパチンコ機の電子制御部のブロック図、図６はパチンコ機の遊技・制御処理の順序を示すフローチャートである。
【００１３】
図１において、パチンコ機の遊技盤１には、普通図柄表示部３及び特別図柄表示部４を備えた公知機能を有する図柄表示装置５がほぼ中央に配置され、その図柄表示装置５の下方に特別入賞装置１０を配置している。６は図柄表示装置５の左右に対称に配置された風車、７は遊技領域ｒの下方寄りの周辺部に配置された複数個の一般入賞口、８は遊技盤１に打ち込まれた多数の障害釘である。なお、この図面には、図示しない発射装置から発射されるパチンコ球を遊技領域ｒの上方に案内するためのガイドレールを表していない。
【００１４】
特別入賞装置１０は、始動入賞機能と、大入賞機能を兼用するものであって、本発明の重要な構成要素である。図２、図３において、特別入賞装置１０の取付板１１の下方部には、入賞球を後方に導く球入口１２を設け、その裏面に球入口１２の下縁から後方に突出する案内片１３が一体に形成されており、この近傍には図示しない入賞球検出スイッチ６１が設けられている。また、取付板１１の上部には、パチンコ球の通過を許すゲート１４を設けている。その取付板１１の前面には、チャッカー１５の前面部１５ａと一体形成された軸１７により左右一対の開閉羽根１８が回転可能に支持されている。そのチャッカー１５の底部は案内片１３に連接されていて、開閉羽根１８，１８の間を通る入賞球を該案内片１３に円滑に導くように設けられている。１６はチャッカー１５の前面部１５ａの中央部に後記発光ダイオード（ＬＥＤ）の点灯により光を放射するように設けられたレンズ部である。各々の開閉羽根１８の下端には、取付板１１に穿設された図示しない穴の後方まで突出する長さの連動杆１９を一体に設ける。
【００１５】
上記取付板１１の裏面に固定された枠体２０の内方には、横軸２１により上下方向に揺動可能とされた左右一対の揺動レバー２２が設けられている。この揺動レバー２２には、先端に係合溝２４が形成された横片２３と、先端内方にピン２６が突出するように形成された縦片２５とをＬ字形に一体に形成している。そして、それらの係合溝２４は、前記開閉羽根１８の連動杆１９に夫々遊嵌される。
【００１６】
上記枠体２０の後方に取り付けられたブラケット３０には、公知のプランジャー型ソレノイド３１を当該プランジャー３２を内方に向けて水平方向に固定している。そのプランジャー３２には環状溝３４を形成したヘッド３３を取り付け、その環状溝３４に前記揺動レバー２２のピン２６，２６を係合させるように設けられる。
【００１７】
上記ブラケット３０には支持板３５を取り付け、その支持板３５の内面にプリント基板３６を固定している。プリント基板３６の点灯回路には、報知手段を構成する青色、緑色等の色の異なる２個の発光ダイオード（ＬＥＤ）が介装されている。しかして、特別入賞装置１０が、始動入賞機能を有し、かつ、始動入賞用に設定された景品球数（例えば、７個）を払い出させる第１機能状態にのときには青色発光ダイオード（ＬＥＤ）を点灯させ、大入賞機能を有し、かつ、大入賞用に設定された景品球数（例えば、１５個）を払い出させる第２機能状態のときには緑色発光ダイオード（ＬＥＤ）を点灯させるように設けられている。
【００１８】
上記構成になる特別入賞装置１０の作動について説明する。ソレノイド３１が非通電状態の場合には、揺動レバー２２の縦片２５がプランジャー３２に装着されたバネ３２ａにより前方に押されて連動杆１９，１９を押し下げるので、開閉羽根１８，１８は図２に示す起立姿勢に保持される。また、ソレノイド３１が通電状態の場合には、揺動レバー２２の縦片２５がプランジャー３２により後方に引かれて連動杆１９，１９を押し上げるので、開閉羽根１８，１８は図４に示す逆ハ字形に傾動した開成状態に保持される。
【００１９】
つぎに、このパチンコ機の電子制御部について簡単に説明する。
図５において、この電子制御部には、ハード及びソフトウェアーの制御を司る基本回路が設けられた主制御基板５０を備えている。その主制御基板５０は、中央処理装置（ＣＰＵ）、その中央処理装置が実行する各種乱数発生手段・大当たり処理制御等の各種制御プログラム等を記憶させたメモリー（ＲＯＭ）、中央装置が制御プログラムを実行するときにそのメモリー（ＲＯＭ）から読み出される内容等を一時的に記憶させるためのメモリー（ＲＡＭ）等から構成されている。そして、主制御基板５０には、入賞球の検出があったときに始動入賞用に設定された機能信号及び景品球数の払出信号を出力する第１機能状態と、入賞球の検出があったときに大入賞用に設定された機能信号及び景品球数の払出信号を出力する第２機能状態とに可変可能な特別入賞装置１０の入賞球検出スイッチ６１がインターフェース５１を介して接続されている。
なお、中央処理装置（ＣＰＵ）では、大当たり判定制御、大当たり動作制御、特別入賞装置１０の機能切り替え制御等が実行される。
【００２０】
さらに、その主制御基板５０には、図柄表示装置５、特別入賞装置１０のソレノイド３１、特別入賞装置１０の発光ダイオード（ＬＥＤ）がインターフェース５２を介して夫々接続されている。それらの装置や電子部品には、図示しない各々の基板に、中央処理装置（ＣＰＵ）やメモリー（ＲＯＭ，ＲＡＭ）を夫々備えており、図柄表示、点灯報知等の遊技に伴う処理制御を適時に行うように設けられている。この電子制御部のブロック図は、一般的なパチンコ機の電子制御部の構成とほぼ同様であることから、これ以上詳しく述べない。
【００２１】
つぎに、このパチンコ機の役物の動作及び遊技の流れについて、図６のフローチャートにより説明する。
ここでは、特別入賞装置１０の第１機能状態を始動入賞装置、景品球数を５個に設定し、第２機能状態を大入賞装置、景品球数を１５個に設定している。
【００２２】
（１）遊技領域ｒに打ち込まれたパチンコ球が特別入賞口に入賞すると、所定数（例えば、５個）の景品球が払い出され、特別入賞装置１０が第１機能状態にセットされ（Ｓ１００）、始動遊技が実行可能な状態となる。
（２）特別入賞装置１０を始動入賞装置として機能させる旨が、青色発光ダイオード（ＬＥＤ）の点灯により報知される（Ｓ１０１）。
（３）図柄表示装置５の普通図柄表示部３に所定図柄が表われて停止すると、特別入賞装置１０は、開閉羽根１８，１８を一定時間のみパチンコ球が入賞し易い開放状態とされる。
（４）打ち込まれたパチンコ球が特別入賞装置１０に入賞すると（Ｓ１０２，ＹＥＳ）、図柄表示装置５の特別図柄表示部４の図柄が変動表示を開始する（Ｓ１０３）。
また、この特別図柄表示部４の図柄が変動表示している際に、新たなパチンコ球が特別入賞装置１０に入賞したことにより生起した図柄始動記憶を、所定数を限度に保留する図示しない保留手段を設けても良い。この保留手段は、特別入賞装置１０が第１機能状態のときにのみ、その保留機能が有効に作動する一方、特別入賞装置１０が第２機能状態を形成した際には、特別入賞装置１０が第１機能状態のときに保留した数の図柄始動記憶を再び特別入賞装置１０が第１機能状態に切り替わるまで有効に保持しつつ、新たな図柄始動記憶が前記保留手段に保留されることを一時的に無効化するように機能する。
（５）始動遊技の結果が予め設定された条件を満たすと、特別図柄表示部４に所定図柄が停止表示され（Ｓ１０４）、「大当たり」（特別遊技状態）が発生する（Ｓ１０５，ＹＥＳ）。また、停止図柄が所定図柄でないときには（Ｓ１０５，ＮＯ）、特別遊技状態にならず、特別入賞装置１０に新たな入賞があるまで、または上記保留手段に図柄始動記憶がない限りは図柄の変動が開始されない。
（６）ついで、特別入賞装置１０が第２機能状態にセットされ（Ｓ１０６）、特別入賞装置１０において大入賞装置として機能する旨が、緑色発光ダイオード（ＬＥＤ）の点灯により報知される（Ｓ１０７）。そして、特別入賞装置１０は、打球を受け入れ易くし、かつ、多量の景品球を払い出すべく開閉羽根１８，１８を閉成状態から開成状態とされる。これにより、最初の１ラウンド目の特定遊技を開始することができる状況となる。
（７）特別入賞装置１０の開閉羽根１８，１８の開成状態が所定時間経過するか、遊技者により打ち込まれるパチンコ球の入賞が所定個数に達すると、１ラウンド目が終了する。１回の入賞に対して１５個の景品球が、公知の払い出し装置から遊技者側に払い出される。
（８）特別入賞装置１０の開閉羽根１８，１８の開成動作は所定条件に基づいて所定回数（通常、最高１６回まで）だけ繰り返され（Ｓ１０９，ＮＯ）、多量の景品球が放出される機会が付与される（Ｓ１０８）。
（９）「大当たり」（特別遊技状態）が終了すると（Ｓ１０９，ＹＥＳ）、特別入賞装置１０は開閉羽根１８，１８を閉成状態とし、かつ、最初の第１機能状態に設定されて新たな遊技に備えられる。そして、図柄表示装置５では、大当たりの遊技が終了した旨の画面表示がなされ、新たなパチンコ球が特別入賞装置１０に入賞したときや、保留手段に大当たり前から持ち越された図柄始動記憶があるときに、特別図柄表示部４の図柄が変動表示を開始して第１機能状態における遊技が再開される。
【００２３】
以上に述べたとおり、このパチンコ機は、単一の特別入賞装置に始動入賞機能、大入賞機能等の異なる機能を備えさせることにより、入賞装置の設置個数の減少や省スペース化に寄与するものである。
【図面の簡単な説明】
【図１】パチンコ機の遊技盤面の概要図
【図２】特別入賞装置の正面図
【図３】特別入賞装置の中央縦断面図
【図４】特別入賞装置の斜視図
【図５】パチンコ機の電子制御部のブロック図
【図６】パチンコ機の遊技・制御処理の順序を示すフローチャート
【符号の説明】
１・・・遊技盤
ｒ・・・遊技領域
５・・・図柄表示装置
１０・・・特別入賞装置
１５・・・チャッカー
１６・・・レンズ部
１８・・・開閉羽根
３６・・・プリント基板
ＬＥＤ・・・発光ダイオード
【図１】
2004351055.tif 000003
【図２】
2004351055.tif 000004
【図３】
2004351055.tif 000005
【図４】
2004351055.tif 000006
【図５】
2004351055.tif 000007
【図６】
2004351055.tif 000008